(57)【特許請求の範囲】
【請求項１】
複数に分割された各特定画像領域内に夫々同一の特定画像が印刷された多面化大判紙の印刷直後の印刷状態を検査及び管理する多面化大判紙の印刷状態検査装置であって、
位置決めマークの位置座標である標準位置決めマークデータ及び標準特定画像データを予め設定・保持する標準画像設定・保持手段と、
印刷ラインから取り出された、特定画像領域外に１つ以上の用紙位置決めマークが印刷された検査対象の多面化大判紙をその裏面を吸着しつつ載置し、表裏反転させる用紙載置手段と、
前記用紙載置手段に載置された多面化大判紙を、非接触でスキャンニングすることにより検査対象の多面化大判紙から前記用紙位置決めマークと前記特定画像領域内の特定画像を読み取る画像読み取り手段（スキャナー）と、
前記読み取った検査対象の位置補正前の多面化大判紙の用紙位置決めマークの座標位置データである用紙位置決めマークデータと前記標準画像設定・保持手段に保持された標準位置決めマークデータとを比較し、検査対象の多面化大判紙の用紙位置決めマークの座標位置が標準画像の用紙位置決めマークの座標位置に一致するように補正前の検査対象の多面化大判紙の読み取り画像を位置補正する位置補正手段と、
前記位置補正された検査対象の多面化大判紙の読み取り画像中の特定画像と前記標準画像設定・保持手段に保持された標準特定画像とを比較して多面化大判紙の印刷状態を段階別に判別する印刷状態判別手段と、
前記印刷状態判別手段により判別された各多面化大判紙の印刷状態データを記憶、収集及び管理し、各多面化大判紙の印刷状態データを表示又は印刷する印刷状態データ処理手段と、
からなることを特徴とする多面化大判紙の印刷状態検査装置。
【請求項２】
複数に分割された各特定画像領域内に夫々同一の特定画像が印刷された多面化大判紙の印刷直後の印刷状態を検査及び管理する多面化大判紙の印刷状態検査装置であって、
位置決めマークの位置座標である標準位置決めマークデータ及び標準特定画像データを予め設定・保持する標準画像設定・保持手段と、
印刷ラインから取り出された、特定画像領域外に１つ以上の用紙位置決めマークが印刷された検査対象の多面化大判紙をその裏面を吸着しつつ載置し、表裏反転させ、且つ後述の位置補正手段から送出された位置補正データに基づいて所定量移動させて位置補正する用紙載置手段と、
前記用紙載置手段に載置された多面化大判紙を、非接触でスキャンニングすることにより検査対象の位置補正前又は位置補正後の多面化大判紙から前記用紙位置決めマークと前記特定画像領域内の特定画像を読み取る画像読み取り手段（スキャナー）と、
前記読み取った検査対象の位置補正前の多面化大判紙の用紙位置決めマークの座標位置データである用紙位置決めマークデータと前記標準画像設定・保持手段に保持された標準位置決めマークデータとを比較し、検査対象の多面化大判紙の用紙位置決めマークの座標位置が標準画像の用紙位置決めマークの座標位置に一致するように用紙載置手段の移動量を算出し用紙載置手段に該移動量データを送出する位置補正手段と、
前記位置補正された検査対象の多面化大判紙の読み取り画像中の特定画像と前記標準画像設定・保持手段に保持された標準特定画像とを比較して多面化大判紙の印刷状態を段階別に判別する印刷状態判別手段と、
前記印刷状態判別手段により判別された各多面化大判紙の印刷状態データを記憶、収集及び管理し、各多面化大判紙の印刷状態データを表示又は印刷する印刷状態データ処理手段と、
からなることを特徴とする多面化大判紙の印刷状態検査装置。
【請求項３】
前記用紙載置手段は、載置時のみ吸着動作を行うことを特徴とする請求項１又は２に記載の多面化大判紙の印刷状態検査装置。
【請求項４】
前記用紙載置手段の吸着手段は真空吸引又は静電気により吸着することを特徴とする請求項３に記載の多面化大判紙の印刷状態検査装置。
【請求項５】
前記画像読み取り手段の経年変化（劣化）に応じて前記読み取った特定画像データを補正することを特徴とする請求項１又は２に記載の多面化大判紙の印刷状態検査装置。
【請求項６】
複数に分割された各特定画像領域内に夫々同一の特定画像が印刷された多面化大判紙の印刷直後の印刷状態を検査及び管理する多面化大判紙の印刷状態検査方法であって、
位置決めマークの位置座標である標準位置決めマークデータ及び標準特定画像データを予め設定し・記憶し、
印刷ラインから取り出された、特定画像領域外に１つ以上の用紙位置決めマークが印刷された検査対象の多面化大判紙をその裏面を吸着させつつ用紙載置板に載置し、表裏反転させ、
前記用紙載置板に載置した多面化大判紙を、画像読み取り手段（スキャナー）を用いて非接触でスキャンニングし、検査対象の多面化大判紙から前記用紙位置決めマークと前記特定画像領域内の特定画像を読み取り、
前記読み取った検査対象の位置補正前の多面化大判紙の用紙位置決めマークの座標位置データである用紙位置決めマークデータと前記標準画像を設定・記憶した標準位置決めマークデータとを比較し、検査対象の多面化大判紙の用紙位置決めマークの座標位置が標準画像の用紙位置決めマークの座標位置に一致するように補正前の検査対象の多面化大判紙の読み取り画像を位置補正し、
前記位置補正された検査対象の多面化大判紙の読み取り画像中の特定画像と前記標準画像を設定・記憶した標準特定画像とを比較して多面化大判紙の印刷状態を段階別に判別し、
前記判別された各多面化大判紙の印刷状態データを記憶、収集及び管理し、各多面化大判紙の印刷状態データを表示又は印刷するようにしたことを特徴とする多面化大判紙の印刷状態検査方法。
【請求項７】
複数に分割された各特定画像領域内に夫々同一の特定画像が印刷された多面化大判紙の印刷直後の印刷状態を検査及び管理する多面化大判紙の印刷状態検査方法であって、
位置決めマークの位置座標である標準位置決めマークデータ及び標準特定画像データを予め設定・記憶し、
印刷ラインから取り出された、特定画像領域外に１つ以上の用紙位置決めマークが印刷された検査対象の多面化大判紙をその裏面を吸着させつつ用紙載値板に載置し、表裏反転させ、且つ後述の位置補正手段から送出された位置補正データに基づいて所定量を移動させて位置補正し、
前記用紙載置板に載置された多面化大判紙を、画像読み取り手段（スキャナー）を用いて非接触でスキャンニングし、検査対象の位置補正前又は位置補正後の多面化大判紙から前記用紙位置決めマークと前記特定画像領域内の特定画像を読み取り、
前記読み取った検査対象の位置補正前の多面化大判紙の用紙位置決めマークの座標位置データである用紙位置決めマークデータと前記標準画像を設定・記憶した標準位置決めマークデータとを比較し、検査対象の多面化大判紙の用紙位置決めマークの座標位置が標準画像の用紙位置決めマークの座標位置に一致するように用紙載置板の移動量を算出し用紙載置板に該移動量データを送出して位置補正し、
前記位置補正された検査対象の多面化大判紙の読み取り画像中の特定画像と前記標準画像の設定・記憶された標準特定画像とを比較して多面化大判紙の印刷状態を段階別に判別し、
前記判別された各多面化大判紙の印刷状態データを記憶、収集及び管理し、各多面化大判紙の印刷状態データを表示又は印刷するするようにしたことを特徴とする多面化大判紙の印刷状態検査方法。
【発明の詳細な説明】
【０００１】
【発明の属する技術分野】
本発明は、用紙上に複数の同一画像が印刷された大判模様印刷物（印刷済枚葉紙）の印刷状態を検査する印刷状態検査装置及び印刷状態検査方法に関する。
【０００２】
【従来の技術】
従来、紙幣等の複写禁止原稿を画像認識又は読み取りする方法として、特願平７−１６５５３２号のような画像処理装置及び画像処理方法があるが、この方法は完全に乾燥した同一の紙幣画像が複数印刷された大判模様印刷物（以下、多面化大判紙という。）を単一の紙幣に断裁した小切れ券を対象とし、読み取り対象である原稿を手作業により正規位置に位置合わせした後、原稿の画像を認識し画像の良否を判定していた。また、接触式であるため、印刷直後の十分に乾燥していない用紙を検査する場合は、原稿を汚してしまうという問題があった。
【０００３】
また、認識対象原稿が小切れ券であるため、多面化大判紙の各小切れ券の画像の一括認識は不可能であり、多面化大判紙の良否の判別時間も長くなり、その結果、各多面化大判紙の印刷状態を管理する（印刷状態管理機能）ことが難しいという問題があった。
【０００４】
【発明が解決しようとする課題】
本発明は、前記問題点を解決するため、複数の多面化大判紙の中から指定された検査対象の未乾燥の多面化大判紙を取り出し、吸着しながら載置板上に載置し、この多面化大判紙の画像及び位置決めマークを非接触で読み取り、位置決めマークの座標位置から読み取った画像を正確且つ迅速に位置補正し、補正後の多面化大判紙の各面（各小切れ面）の画像を迅速に認識して各多面化大判紙の印刷状態の良否を迅速に判定し、且つ印刷状態を管理することである。また、印刷直後の十分に乾燥していない多面化大判紙の画像及び位置決めマークを、汚染することなく、非接触で読み取ることである。更に、この多面化大判紙の印刷状態検査結果から早期に印刷不良を検出し、それ以後の印刷ラインに印刷不良が発生するのを未然に防止することである。
【０００５】
【課題を解決するための手段】
本発明の多面化大判紙の印刷状態検査装置は、複数に分割された各特定画像領域内に夫々同一の特定画像が印刷された多面化大判紙の印刷直後の印刷状態を検査及び管理する多面化大判紙の印刷状態検査装置であって、位置決めマークの位置座標である標準位置決めマークデータ及び標準特定画像データを予め設定・保持する標準画像設定・保持手段と、印刷ラインから取り出された、特定画像領域外に１つ以上の用紙位置決めマークが印刷された検査対象の多面化大判紙をその裏面を吸着しつつ載置し、表裏反転させる用紙載置手段と、前記用紙載置手段に載置された多面化大判紙を、非接触でスキャンニングすることにより検査対象の多面化大判紙から前記用紙位置決めマークと前記特定画像領域内の特定画像を読み取る画像読み取り手段（スキャナー）と、前記読み取った検査対象の位置補正前の多面化大判紙の用紙位置決めマークの座標位置データである用紙位置決めマークデータと前記標準画像設定・保持手段に保持された標準位置決めマークデータとを比較し、検査対象の多面化大判紙の用紙位置決めマークの座標位置が標準画像の用紙位置決めマークの座標位置に一致するように補正前の検査対象の多面化大判紙の読み取り画像を位置補正する位置補正手段と、前記位置補正された検査対象の多面化大判紙の読み取り画像中の特定画像と前記標準画像設定・保持手段に保持された標準特定画像とを比較して多面化大判紙の印刷状態を段階別に判別する印刷状態判別手段と、前記印刷状態判別手段により判別された各多面化大判紙の印刷状態データを記憶、収集及び管理し、各多面化大判紙の印刷状態データを表示又は印刷する印刷状態データ処理手段とを備えている。
【０００６】
本発明の多面化大判紙の印刷状態検査装置は、複数に分割された各特定画像領域内に夫々同一の特定画像が印刷された多面化大判紙の印刷直後の印刷状態を検査及び管理する多面化大判紙の印刷状態検査装置であって、位置決めマークの位置座標である標準位置決めマークデータ及び標準特定画像データを予め設定・保持する標準画像設定・保持手段と、印刷ラインから取り出された、特定画像領域外に１つ以上の用紙位置決めマークが印刷された検査対象の多面化大判紙をその裏面を吸着しつつ載置し、表裏反転させ、且つ後述の位置補正手段から送出された位置補正データに基づいて所定量移動させて位置補正する用紙載置手段と、前記用紙載置手段に載置された多面化大判紙を、非接触でスキャンニングすることにより検査対象の位置補正前又は位置補正後の多面化大判紙から前記用紙位置決めマークと前記特定画像領域内の特定画像を読み取る画像読み取り手段（スキャナー）と、前記読み取った検査対象の位置補正前の多面化大判紙の用紙位置決めマークの座標位置データである用紙位置決めマークデータと前記標準画像設定・保持手段に保持された標準位置決めマークデータとを比較し、検査対象の多面化大判紙の用紙位置決めマークの座標位置が標準画像の用紙位置決めマークの座標位置に一致するように用紙載置手段の移動量を算出し用紙載置手段に該移動量データを送出する位置補正手段と、前記位置補正された検査対象の多面化大判紙の読み取り画像中の特定画像と前記標準画像設定・保持手段に保持された標準特定画像とを比較して多面化大判紙の印刷状態を段階別に判別する印刷状態判別手段と、前記印刷状態判別手段により判別された各多面化大判紙の印刷状態データを記憶、収集及び管理し、各多面化大判紙の印刷状態データを表示又は印刷する印刷状態データ処理手段とを備えている。
【０００７】
本発明は、前記用紙載置手段が、載置時のみ吸着動作を行う多面化大判紙の印刷状態検査装置である。
【０００８】
本発明は、前記用紙載置手段の吸着手段が真空吸引又は静電気により吸着する多面化大判紙の印刷状態検査装置である。
【０００９】
本発明は、前記画像読み取り手段の経年変化（劣化）に応じて前記読み取った特定画像データを補正する多面化大判紙の印刷状態検査装置である。
【００１０】
本発明の多面化大判紙の印刷状態検査方法は、複数に分割された各特定画像領域内に夫々同一の特定画像が印刷された多面化大判紙の印刷直後の印刷状態を検査及び管理する多面化大判紙の印刷状態検査方法であって、位置決めマークの位置座標である標準位置決めマークデータ及び標準特定画像データを予め設定・記憶し、印刷ラインから取り出された、特定画像領域外に１つ以上の用紙位置決めマークが印刷された検査対象の多面化大判紙をその裏面を吸着させつつ用紙載置板に載置し、表裏反転させ、前記用紙載置板に載置した多面化大判紙を、画像読み取り手段（スキャナー）を用いて非接触でスキャンニングし、検査対象の多面化大判紙から前記用紙位置決めマークと前記特定画像領域内の特定画像を読み取り、前記読み取った検査対象の位置補正前の多面化大判紙の用紙位置決めマークの座標位置データである用紙位置決めマークデータと前記標準画像を設定・記憶した標準位置決めマークデータとを比較し、検査対象の多面化大判紙の用紙位置決めマークの座標位置が標準画像の用紙位置決めマークの座標位置に一致するように補正前の検査対象の多面化大判紙の読み取り画像を位置補正し、前記位置補正された検査対象の多面化大判紙の読み取り画像中の特定画像と前記標準画像を設定・記憶した標準特定画像とを比較して多面化大判紙の印刷状態を段階別に判別し、前記判別された各多面化大判紙の印刷状態データを記憶、収集及び管理し、各多面化大判紙の印刷状態データを表示又は印刷するようにしている。
【００１１】
本発明の多面化大判紙の印刷状態検査方法は、複数に分割された各特定画像領域内に夫々同一の特定画像が印刷された多面化大判紙の印刷直後の印刷状態を検査及び管理する多面化大判紙の印刷状態検査方法であって、位置決めマークの位置座標である標準位置決めマークデータ及び標準特定画像データを予め設定・記憶し、印刷ラインから取り出された、特定画像領域外に１つ以上の用紙位置決めマークが印刷された検査対象の多面化大判紙をその裏面を吸着させつつ用紙載値板に載置し、表裏反転させ、且つ後述の位置補正手段から送出された位置補正データに基づいて所定量を移動させて位置補正し、前記用紙載置板に載置された多面化大判紙を、画像読み取り手段（スキャナー）を用いて非接触でスキャンニングし、検査対象の位置補正前又は位置補正後の多面化大判紙から前記用紙位置決めマークと前記特定画像領域内の特定画像を読み取り、前記読み取った検査対象の位置補正前の多面化大判紙の用紙位置決めマークの座標位置データである用紙位置決めマークデータと前記標準画像を設定・記憶した標準位置決めマークデータとを比較し、検査対象の多面化大判紙の用紙位置決めマークの座標位置が標準画像の用紙位置決めマークの座標位置に一致するように用紙載置板の移動量を算出し用紙載置板に該移動量データを送出して位置補正し、前記位置補正された検査対象の多面化大判紙の読み取り画像中の特定画像と前記標準画像の設定・記憶された標準特定画像とを比較して多面化大判紙の印刷状態を段階別に判別し、前記判別された各多面化大判紙の印刷状態データを記憶、収集及び管理し、各多面化大判紙の印刷状態データを表示又は印刷するするようにしている。
【００１２】
【発明の実施の形態】
本発明は、複数に分割された特定画像領域ａ、ｂ、ｃ、ｄに夫々同一の画像が印刷された多面化大判紙２の印刷直後の印刷状態を検査及び管理する多面化大判紙の印刷状態検査装置１に関するものであり、図３に示すように、多面化大判紙の特定画像領域外に１つ以上の用紙位置決めマーク２Ａが予め印刷される。
【００１３】
印刷状態検査装置１は、図１に示すように、用紙載置板３と画像読取り部（スキャナー）４と画像処理部５と標準データ保持部６と印刷状態判定処理部７と判定データ処理部８とから構成される。なお、前記標準データ保持部６には、検査対象の多面化大判紙２の画像の基準となる標準データである、用紙位置決めマークの位置座標データである標準位置決めマークデータ６ａと標準特定画像データ６ｂとが、予め保持される。
【００１４】
用紙載置板３は、図１及び図４に示すように、これを回転させる回転軸３Ａと、後述の画像処理部５の位置補正処理部５Ｃからの位置補正データに基づいてこの回転軸をＸＹ方向に移動又は回転移動させて用紙載置板３上に吸着されている検査対象の多面化大判紙２の位置補正制御及び前記多面化大判紙２を用紙載置板３に吸着する吸着動作の制御を行う用紙載置板駆動制御部３Ｂとを具備する。
例えば、位置補正量が水平左方向にＸｍｍ（ミリメートル）の場合は、水平右方向にＸｍｍ（ミリメートル）移動して、位置補正する。
また、位置補正量が垂直上方向にＹｍｍ（ミリメートル）の場合は、垂直下方向にＹｍｍ（ミリメートル）移動して、位置補正する。
また、位置ずれが、一定位置を中心にして、傾斜している場合は、その点を中心に傾斜量分だけ標準位置まで回転させて、位置補正する。
【００１５】
画像読取り部（スキャナー）４は、図６に示すように、用紙載置板３に載置されたサンプリングされた検査対象の多面化大判紙２の全面をスキャンニング（点線矢印により図示。）することにより、多面化大判紙２の用紙位置決めマーク２Ａ及び特定画像領域ａ、ｂ、ｃ、ｄ内の特定画像を読み取る。
【００１６】
画像処理部５は、画像読取り部（スキャナー）４で読み取った画像データ中から用紙位置決めマークデータを取り出して記憶する用紙位置決めマーク記憶部５Ａと、同様に画像読取り部（スキャナー）４で読み取った位置補正前又は位置補正後の画像データ中から特定画像データを取り出して記憶する読取り画像記憶部５Ｂと、前記読み取った用紙位置決めマークデータの座標位置と前記標準データ保持部６に保持された標準位置決めマークデータ６ａの座標位置とから検査対象の多面化大判紙２の位置補正データ（量）を算出し、これを用紙載置板駆動制御部３Ｂに送出する位置補正処理部５Ｃと、から構成される。
なお、画像読み取り部４の経年変化（劣化）に応じて前記読み取った特定画像データを補正する。
【００１７】
印刷状態判定処理部７は、画像処理部５の読取り画像記憶部５Ｂに記憶された位置補正後の特定画像データ５ｂと標準データ保持部６に保持された標準特定画像データ６ｂとを比較し、その差異の程度により、各検査対象の多面化大判紙２の印刷状態の良否を段階別に判定し、印刷状態判定データを作成する。
【００１８】
判定データ処理部８は、印刷状態判定処理部７で作成した各検査対象の多面化大判紙２の印刷状態判定データを記憶、収集及び管理し、各多面化大判紙の印刷状態データを表示又は印刷する。
【００１９】
画像読取り部（スキャナー）４は、検査対象の多面化大判紙の第１回目の読み取り動作の場合は、図６に示すように、用紙載置部３に載置されたサンプリングされた検査対象の多面化大判紙２の全面をスキャンニング（点線矢印により図示。）することにより、多面化大判紙２の用紙位置決めマーク２Ａ及び特定画像領域ａ、ｂ、ｃ、ｄ（特定画像を含む）を読み取る。また、検査対象の多面化大判紙の位置補正後の読み取り動作の場合は、図７に示すように、特定画像領域ａ、ｂ、ｃ、ｄ（特定画像を含む）を読み取る。この場合、予め、前記多面化大判紙の第１回目の読み取り動作において、読み取った画像を位置補正し、位置補正した特定画像領域中から各特定画像領域ａ、ｂ、ｃ、ｄの先頭位置情報Ｐａ（Ｘa 、Ｙa ）、Ｐｂ（Ｘb 、Ｙb ）、Ｐｃ（Ｘc 、Ｙc ）、Ｐｄ（Ｘd 、Ｙd ）を算出し、この先頭位置情報Ｐａ、Ｐｂ、Ｐｃ、Ｐｄを用いて各特定画像領域ａ、ｂ、ｃ、ｄを読み取る。
【００２０】
印刷状態判定処理部７は多面化大判紙２から読み取り、且つ位置補正された各特定画像領域ａ、ｂ、ｃ、ｄ内の特定画像データ５ｂと、前記標準データ保持部６の特定画像データ保持部６Ｂに保持された標準特定画像データ６ｂとを比較して多面化大判紙２の印刷状態の良否を段階別に判定する。例えば、特定画像を構成している分割画像領域毎に、印刷状態良、印刷状態不良、印刷状態一部不良、印刷状態注意の４段階判定、又は印刷状態良、印刷状態不良、印刷状態注意の３段階判定のように段階別の判定がされると共に、その異常内容ついては、濃度（カラーの場合は、Ｒ、Ｇ、Ｂの各成分毎に）、画線幅及び外径に関して判定され、且つ表示又は印字される。
【００２１】
印刷状態判定データ処理部８は印刷状態判定処理部７により判別された各多面化大判紙２の印刷状態データを記憶、収集及び管理し、各多面化大判紙の印刷状態データを表示又は印刷する。また、前記印刷状態判定処理部７から判定中の多面化大判紙２の印刷状態が不良であるとの判定結果データを印刷状態判定データ処理部８が受信した場合は、作業者は印刷ラインに対して印刷停止指令（命令）を送出して、直ちに、印刷ラインの印刷動作を停止することにより、以後の印刷不良を未然に防止することもできる。
【００２２】
また、印刷状態判定データ処理部８、画像読取り部（スキャナー）４、画像処理部５、及び印刷状態判定処理部７の各部が個別に夫々処理機能を有する分散型の処理を行う例を示したが、データ処理部８’（点線で囲んだ部分）を前記各部の処理機能を一括して保有する集中型の処理形態にすることもできる。
【００２３】
本発明の印刷状態検査装置１の処理動作を以下に図２を用いて説明する。
標準データ保持部６の位置決めマーク保持部６Ａ及び特定画像データ保持部６Ｂに、基準となる標準データである用紙内の複数の用紙位置決めマークの座標位置データ６ａ及び特定画像領域ａ、ｂ、ｃ、ｄ内の標準特定画像データ６ｂを夫々予め記憶する（Ｓ１）。
【００２４】
印刷ラインで印刷中の多面化大判紙２中から、印刷直後の十分に乾燥していない検査対象の多面化大判紙２をサンプリング抽出する（Ｓ２）。
【００２５】
図４に示すように、用紙載置板３の上面の指定された位置に多面化大判紙２の裏面を真空吸引又は静電気等の吸着手段３Ｃにより吸着しながら載置し（Ｓ３）、図５に示すように、多面化大判紙２を吸着した状態で回転軸３Ａを中心に用紙載置板３を表裏反転させる（Ｓ４）。印刷直後の十分に乾燥していない多面化大判紙２の用紙載置板３への載置をこのようにすることで、従来のような接触による汚染が解消される。
【００２６】
画像読取り部（スキャナー）４の読み取り面４Ａに用紙載置板３上の検査対象の多面化大判紙２を非接触状態で対接させ、画像読取り部（スキャナー）４で図６に示すように、検査対象の多面化大判紙２の全面をスキャンニングして、複数の位置決めマーク２Ａ及び特定画像領域ａ、ｂ、ｃ、ｄ内の特定画像（ｎ面）を読み取り、画像処理部５の位置決めマーク記憶部５Ａ及び読み取り画像記憶部５Ｂに夫々記憶する（Ｓ５）。なお、この際に、先頭位置情報作成部５Ｄで、前記読み取り画像記憶部５Ｂに記憶された特定画像領域ａ、ｂ、ｃ、ｄの特定画像から各特定画像領域ａ、ｂ、ｃ、ｄの先頭位置情報を算出し記憶・保持しておく。
【００２７】
画像処理部５で、読み取った複数の用紙位置決めマーク２Ａの座標位置（座標位置データ５ａ）を算出し、これと標準データ保持部６に予め保持された用紙位置決めマークの座標位置データ６ａとを比較し、位置補正量を算出し、前記位置補正量に基づいて読み取った特定画像（ｎ面）データ５ｂを位置補正する（Ｓ６）。なお、この際に、位置補正量に基づいて、前記先頭位置情報作成部５Ｄで算出し記憶・保持された先頭位置情報を補正しておき、位置補正後の検査対象の多面化大判紙２の読み取り動作を、各特定画像領域ａ、ｂ、ｃ、ｄの先頭位置から行うことができる。
【００２８】
検査対象の多面化大判紙２の用紙位置決めマーク２Ａの座標位置と標準データ保持部６に予め保持された用紙位置決めマークの座標位置とが一致するように、前記位置補正量に応じて用紙載置板駆動制御部３Ｂは用紙載置板３の位置を補正する（Ｓ７）。この位置補正した検査対象の多面化大判紙２を画像読取り部（スキャナー）４で再度多面化大判紙２の全面をスキャンニングして、複数の位置決めマーク２Ａ及び特定画像領域ａ、ｂ、ｃ、ｄ内の特定画像（ｎ面）を読み取る。なお、前記先頭位置情報作成部５Ｄに記憶・保持された先頭位置情報を用いて、各特定画像領域ａ、ｂ、ｃ、ｄの先頭位置から読み取ることもできる。
【００２９】
印刷状態判定処理部７で前記画像処理部５により位置補正された特定画像（ｎ面）データ５ｂと予め記憶された基準特定画像データ６ｂとの比較により、多面化大判紙２の特定画像の印刷精度の検査・判定を行う（Ｓ８）。
【００３０】
判定データ処理部８で、各検査済多面化大判紙毎の検査・判定結果を収集管理、検査・判定結果の表示又はプリントアウトを行う（Ｓ９）。
【００３１】
なお、前記検査・判定結果が印刷不良の場合には、作業者は印刷ラインに印刷中止指令を送出して、印刷ラインを停止することもできる。
【００３２】
なお、前記位置補正においては、位置補正量に応じて用紙載置板３を移動させて、検査対象用紙の位置の補正し、再度、用紙をスキャンニングして、特定画像領域ａ、ｂ、ｃ、ｄ内の特定画像（ｎ面）を読み取り、この再度読み取った特定画像（ｎ面）データ５ｂと予め記憶された標準特定画像データ６ｂとの比較により、多面化大判紙２の特定画像の印刷精度の検査・判定を行ってもよい。
【００３３】
【発明の効果】
本発明は、前記問題点を解決するため、複数の多面化大判紙の中から指定された検査対象の未乾燥の多面化大判紙を取り出して装置上に載置し、この多面化大判紙の画像及び位置決めマークを非接触で読み取り、位置決めマークの座標位置から読み取った画像を正確且つ迅速に位置補正し、補正後の多面化大判紙の各面（各小切れ面）の画像を迅速に認識して各多面化大判紙の印刷状態の良否を迅速に判定し、且つ印刷状態を管理することである。更に、この多面化大判紙の印刷状態検査結果から早期に印刷不良を検出し、それ以後の印刷ラインに印刷不良が発生するのを未然に防止することである。
【００３４】
本発明は印刷状態検査装置に前記用紙載置板を設けることにより、印刷直後の十分に乾燥していない小切れ面が複数面印刷された複数の多面化大判紙の中から指定された多面化大判紙を取り出し、用紙載置板上に多面化大判紙の裏面を吸着手段により吸着しながら載置し、多面化大判紙を吸着した状態で用紙載置板を表裏反転させ、画像読み取り部の読み取り面と非接触状態で対接させているので、汚染することなく読み取ることができ、また、多面化大判紙を画像読み取り部の画像読み取り位置に正確且つ迅速に位置合わせすることができる。
【００３５】
本発明の印刷状態検査装置は多面化大判紙の各面（各小切れ面）の画像を迅速に認識して各多面化大判紙の印刷状態の良否を迅速に判定し、且つ印刷状態を管理することができる。
【００３６】
本発明の印刷状態検査装置は検査対象の多面化大判紙の位置補正後の読み取り動作が、各特定画像領域の先頭位置から読み取るので、読み取り時間を短縮することができる。
【００３７】
本発明の印刷状態検査装置はこの多面化大判紙の印刷状態検査結果により早期に印刷状態の不良を検出し、それ以後の印刷ラインに印刷不良が発生するのを防止することができる。
【図面の簡単な説明】
【図１】本発明の一実施例である多面化大判紙の印刷状態検査装置の概略構成図である。
【図２】本発明の一実施例である多面化大判紙の印刷状態検査装置の一連の処理工程を示す処理工程図である。
【図３】本発明の多面化大判紙の印刷状態検査装置における用紙載置板（多面化大判紙が載置された状態）と多面化大判紙との関係を示す図（平面図）である。
【図４】本発明の多面化大判紙の印刷状態検査装置の構成図（正面図）である。
【図５】本発明の多面化大判紙の印刷状態検査装置における多面化大判紙が載置された用紙載置板が表裏反転した状態を示す図（正面図）である。
【図６】本発明の多面化大判紙の印刷状態検査装置における検査対象の多面化大判紙の第１回目の読み取り動作を示す図（平面図）である。
【図７】本発明の多面化大判紙の印刷状態検査装置における検査対象の多面化大判紙の位置補正後の読み取り動作を示す図（平面図）である。
【符号の説明】
１    多面化大判紙の印刷状態検査装置
２    多面化大判紙
２Ａ  位置決めマーク
２ａ  特定画像領域
２ｂ  特定画像領域
２ｃ  特定画像領域
２ｄ  特定画像領域
３    用紙載置板
３Ａ  回転軸
３Ｂ  用紙載置板駆動制御部
３Ｃ  用紙吸着手段
４    スキャーナー（画像読み取り部）
４Ａ  スキャーナー読み取り面
５    画像処理部
５Ａ  位置決めマーク記憶部
５Ｂ  読み取り特定画像記憶部
５Ｃ  位置補正処理部
６    標準データ保持部
６ａ  標準位置決めマークデータ
６ｂ  標準特定画像データ
７    印刷状態判定処理部
８    判定データ処理部
８Ａ  表示部
８Ｂ  印字部
【図１】
0003744436.tif 000002
【図２】
0003744436.tif 000003
【図３】
0003744436.tif 000004
【図４】
0003744436.tif 000005
【図５】
0003744436.tif 000006
【図６】
0003744436.tif 000007
【図７】
0003744436.tif 000008